(57)【要約】【課題】  バンド駒を金属で形成しても、このバンド駒によって腕時計ケース内の電子部品に悪影響を及ぼさないようにすることができるバンドを提供する。【解決手段】  複数のバンド駒７が順次連結されて腕時計ケース３に取り付けられるバンド１において、複数のバンド駒７に対して設けられ、複数のバンド駒７を起立させて支持する弾性支持部１５を備えている。従って、腕時計ケース３を腕から取り外して平面Ｐ上に配置した際に、弾性支持部１５がバンド駒７を平面Ｐ上に弾力的に起立させて支持することができるので、バンド駒７を腕時計ケース３からできる限り離すことができる。【選択図】        図１
2014054305.tif 000002
【特許請求の範囲】
【請求項１】
複数のバンド駒が順次連結されて腕時計ケースに取り付けられるバンドにおいて、
前記複数のバンド駒に対して設けられ、前記複数のバンド駒を起立させて支持する弾性支持部を備えていることを特徴とするバンド。
【請求項２】
請求項１に記載のバンドにおいて、前記弾性支持部は、順次連結された前記複数のバンド駒の裏面に、その連結方向に沿って設けられていることを特徴とするバンド。
【請求項３】
請求項１または請求項２に記載のバンドにおいて、前記弾性支持部は、連結ピンによって順次連結される前記複数のバンド駒の間にそれぞれ配置されて前記連結ピンに取り付けられる複数の弾性取付部と、前記複数の弾性取付部を順次連結する複数の弾性連結部とを有していることを特徴とするバンド。
【請求項４】
請求項１〜請求項３のいずれかに記載のバンドにおいて、前記弾性支持部は、順次連結された前記複数のバンド駒の凹部と突起部との間に形成された隙間に配置される複数の弾性取付部と、前記複数のバンド駒の裏面の溝に嵌合する複数の弾性連結部とを有していることを特徴とするバンド。
【請求項５】
請求項１〜請求項４のいずれかに記載のバンドにおいて、前記弾性支持部は、前記腕時計ケースに設けられたバンド取付部に取り付けられる緩衝部を有し、この緩衝部に設けられていることを特徴とするバンド。
【請求項６】
請求項１〜請求項５のいずれかに記載のバンドにおいて、前記弾性支持部は、前記腕時計ケースの両側にそれぞれ配置されていることを特徴とするバンド。
【発明の詳細な説明】
【技術分野】
【０００１】
この発明は、腕時計に用いられるバンドに関する。
【背景技術】
【０００２】
例えば、腕時計のバンドにおいては、特許文献１に記載されているように、バンド駒に連結駒を連結ピンで連結することにより、連結駒を介してバンド駒を順次連結するように構成されたものが知られている。
【先行技術文献】
【特許文献】
【０００３】
【特許文献１】特開２００３−７９４１０号公報
【０００４】
このようなバンドは、バンド駒が弾性駒とメタル駒とで構成され、この弾性駒とメタル駒との間における一側部に連結駒が連結ピンによって回転可能に取り付けられた構成になっている。このため、このバンドでは、腕時計を腕から外して卓上に配置した際に、バンド駒および連結駒が連結ピンを中心に回転し、バンド駒および連結駒が平坦な状態で連続して配置されると共に、その一部のバンド駒および連結駒が腕時計の下に重なることがある。
【発明の概要】
【発明が解決しようとする課題】
【０００５】
しかしながら、このようなバンドでは、バンド駒および連結駒がそれぞれ金属で形成され、腕時計内に方位を検出するための磁気センサなどの電子部品が組み込まれている場合、バンド駒および連結駒が腕時計の下に重なって接近すると、バンド駒および連結駒の金属によって磁気センサなどの電子部品が悪影響を受けて正常に動作しなくなるという問題がある。
【０００６】
この発明が解決しようとする課題は、バンド駒を金属で形成しても、このバンド駒によって腕時計ケース内の電子部品に悪影響を及ぼさないようにすることができるバンドを提供することである。
【課題を解決するための手段】
【０００７】
この発明は、複数のバンド駒が順次連結されて腕時計ケースに取り付けられるバンドにおいて、前記複数のバンド駒に対して設けられ、前記複数のバンド駒を起立させて支持する弾性支持部を備えていることを特徴とするバンドである。
【発明の効果】
【０００８】
この発明によれば、腕時計ケースを腕から取り外して平面上に配置した際に、弾性支持部がバンド駒を平面上に弾力的に起立させて支持することができるので、バンド駒を腕時計ケースからできる限り離すことができる。このため、バンド駒を金属で形成しても、このバンド駒によって腕時計ケース内の電子部品に悪影響が及ばないようにすることができる。
【図面の簡単な説明】
【０００９】
【図１】この発明を腕時計のバンドに適用した一実施形態において、斜め上方から見た拡大斜視図である。
【図２】図１に示された腕時計およびバンドを斜め下側から見た拡大斜視図である。
【図３】図１に示された腕時計のバンドの一部を示し、（ａ）はその要部の拡大正面図、（ｂ）は（ａ）のＡ−Ａ矢視における拡大断面図、（ｃ）はその要部の拡大裏面図である。
【図４】図１に示された腕時計のバンドに取り付けられる弾性支持部を示した拡大斜視図である。
【図５】図１に示されたバンドで腕時計ケースを平面の上方に支持した状態を示した拡大側面図である。
【発明を実施するための形態】
【００１０】
以下、図１〜図５を参照して、この発明を腕時計のバンドに適用した一実施形態について説明する。
このバンド１は、図１および図２に示すように、腕時計２を腕に取り付けるためのものである。この場合、腕時計２は、腕時計ケース３を備えている。この腕時計ケース３の上部開口部には、時計ガラス４が取り付けられており、この腕時計ケース３の下面には、裏蓋５が取り付けられている。
【００１１】
また、この腕時計ケース３の内部には、時計モジュール（図示せず）が設けられている。この時計モジュールは、指針を運針させる時計ムーブメント、時刻を電気光学的に表示する表示パネルなどの時計機能に必要な各種の電子部品を備えているほか、電波を受信するアンテナや方位を検出する方位検出部などを備えている。この場合、アンテナは、コアにコイルを巻き付けたバーアンテナであり、磁界を利用して電波を受信するように構成されている。方位検出部は、磁気センサによって方位を検出するように構成されている。
【００１２】
一方、バンド１は、図１〜図３に示すように、腕時計ケース３の１２時と６時とに位置する側壁部にそれぞれ設けられた一対のバンド取付部６に取り付けられている。このバンド１は、ステンレスなどの金属からなるバンド駒７を連結ピン８によって順次連結した構成になっている。この場合、バンド駒７は、図３（ａ）〜図３（ｃ）に示すように、ほぼ長方形の金属板からなる駒本体１０を有し、バンド駒７の連結方向における駒本体１０の一辺部（図１では上辺部）に突起部１１が形成され、他辺部（図１では下辺部）に凹部１２が形成された構成になっている。
【００１３】
このバンド駒７の突起部１１は、図３（ａ）〜図３（ｃ）に示すように、駒本体１０の一辺部における中間部に、バンド駒７の連結方向に向けて突出して設けられている。この突起部１１には、連結ピン８が挿入するピン挿入孔１３が形成されている。このピン挿入孔１３は、バンド駒７の連結方向に対して直交する方向に沿って、突起部１１の両端面に貫通して形成されている。
【００１４】
また、バンド駒７の凹部１２は、図３（ａ）〜図３（ｃ）に示すように、突起部１１と反対側に位置する駒本体１０の他辺部における中間部に、突起部１１よりも少し大きく切り欠かれて形成されている。すなわち、この凹部１２は、バンド駒７の連結方向に対して直交する方向の長さＬ１が、これに対応する突起部１１の長さＬ２よりも長く形成されている。
【００１５】
これにより、この凹部１２は、図３（ａ）〜図３（ｃ）に示すように、その内部に配置された突起部１１の両端面と、これらに対面する凹部１２の内壁面１２ａとの間に、隙間Ｓがそれぞれ形成されるように構成されている。また、この凹部１２は、バンド駒７の連結方向の長さが、これに対応する突起部１１の突出長さよりも少し長く形成されている。さらに、この凹部１２の互いに対向する内壁面１２ａには、連結ピン８の両端部がそれぞれ挿入する各ピン取付孔１４が互いに対応して設けられている。
【００１６】
連結ピン８は、図３（ａ）および図３（ｂ）に示すように、バンド駒７を順次連結するばね棒であり、バンド駒７の突起部１１に設けられたピン挿入孔１３に挿入するパイプ状のピン本体８ａと、このピン本体８ａの両側部に出没可能に設けられて、バンド駒７の凹部１２の内壁面１２ａに設けられた各ピン取付孔１４にそれぞれ挿入する一対の先端ピン８ｂと、ピン本体８ａ内に配置されて、一対の先端ピン８ｂをばね力によって弾力的に押し出すばね部材（図示せず）とを備えている。
【００１７】
この場合、ピン本体８ａは、図３（ａ）および図３（ｂ）に示すように、その長さがバンド駒７の突起部１１に設けられたピン挿入孔１３の長さとほぼ同じ長さで形成されている。また、一対の先端ピン８ｂは、ピン本体８ａから突出する長さが、バンド駒７の凹部１２における互いに対向する各内壁面１２ａから各外壁面までの厚み、つまりバンド駒７の凹部１２の両側に位置する個所におけるバンド駒７の連結方向に対して直交する方向の長さとほぼ同じ長さに形成されている。
【００１８】
これにより、連結ピン８は、図３（ａ）および図３（ｂ）に示すように、予め、バンド駒７の突起部１１に設けられたピン挿入孔１３にピン本体８ａが挿入されると、一対の先端ピン８ｂが突起部１１の両側に突出した状態で、バンド駒７に取り付けられるように構成されている。また、この連結ピン８は、バンド駒７の突起部１１をこれに隣接するバンド駒８の凹部１２内に配置する際に、バンド駒７の突起部１１の両側から突出した一対の先端ピン８ｂがばね部材（図示せず）のばね力に抗してピン本体８ａ内に押し込まれるように構成されている。
【００１９】
さらに、この連結ピン８は、図３（ａ）および図３（ｂ）に示すように、一対の先端ピン８ｂがピン本体８ａ内に押し込まれた状態で、バンド駒７の突起部１１をこれに隣接するバンド駒８の凹部１２内に配置して、一対の先端ピン８ｂを凹部１２の互いに対向する内壁面１２ａに設けられた各ピン取付孔１４にそれぞれ対応させると、ピン本体８ａ内のばね部材（図示せず）のばね力によって一対の先端ピン８ｂがピン本体８ａ内から押し出されて、互いに対向する内壁面１２ａの各ピン取付孔１４にそれぞれ挿入し、これにより互いに隣接するバンド駒７同士を連結するように構成されている。
【００２０】
ところで、このバンド１は、図１〜図４に示すように、バンド駒７の裏面側に設けられてバンド駒７を弾力的に起立させて支持する弾性支持部１５を備えている。この弾性支持部１５は、連結ピン８によって順次連結されたバンド駒７の裏面に、その連結方向に沿って２列に設けられている。すなわち、この弾性支持部１５は、シリコーンゴムやウレタンゴムなどの弾性材料からなり、バンド駒７間にそれぞれ配置されて連結ピン８に取り付けられる複数の弾性取付部１６と、これら複数の弾性取付部１６を順次連結する複数の弾性連結部１７とを有している。
【００２１】
この場合、弾性取付部１６は、図３および図４に示すように、バンド駒７の凹部１２内にこれに隣接する他のバンド駒７の突起部１１が配置された際に、この突起部１１の両端面とこれらが対向する凹部１２の内壁面１２ａとの間に形成された隙間Ｓに配置されるように構成されている。すなわち、この弾性取付部１６は、バンド駒７の突起部１１の断面形状とほぼ同じ大きさの円形状に形成されている。
【００２２】
また、この弾性取付部１６の中心部には、図３および図４に示すように、連結ピン８の先端ピン８ｂが挿入する挿入孔１６ａが貫通して設けられている。この挿入孔１６ａは、バンド駒７の凹部１２内にこれに隣接する他のバンド駒７の突起部１１が配置されて、突起部１１の両端面とこれらが対向する凹部１２の内壁面１２ａとの間に弾性取付部１６が配置された際に、突起部１１のピン挿入孔１３と、凹部１２の内壁面１２ａに設けられたピン取付孔１４とに、対応するように形成されている。
【００２３】
また、この弾性取付部１６は、図３（ａ）および図３（ｂ）に示すように、その厚み、つまりバンド駒７の連結方向に対して直交する方向の長さが、バンド駒７の凹部１２に挿入された他のバンド駒７の突起部１１の両端面とこれらが対向する凹部１２の内壁面１２ａとの間に形成された隙間Ｓと同じ長さに形成されている。
【００２４】
これにより、弾性取付部１６は、図３（ａ）および図３（ｂ）に示すように、バンド駒７の凹部１２内にこれに隣接する他のバンド駒７の突起部１１が配置された際に、この突起部１１の両端面とこれらが対向する凹部１２の内壁面１２ａとの間に形成された隙間Ｓに配置され、この状態で突起部１１のピン挿入孔１３に挿入された連結ピン８の各先端ピン８ｂが弾性取付部１６の挿入孔１６ａに挿入することにより、互いに隣接するバンド駒７同士の間に取り付けられるように構成されている。
【００２５】
また、複数の弾性連結部１７は、図２〜図４に示すように、それぞれ細長い帯板状に形成されてバンド駒７の裏面に沿って配置されるように構成されている。すなわち、この弾性連結部１７は、バンド駒７の連結方向におけるバンド駒７の駒本体１０の長さ、つまり突起部１１が位置する一辺部から反対側の凹部１２内の底部に位置するまでの長さと同じ長さに形成されている。
【００２６】
そして、バンド駒７の裏面には、弾性連結部１７が嵌合する溝が形成されている。バンド駒７の裏面の溝の深さは、弾性連結部１７の厚さと同等に形成され、弾性連結部１７が嵌合すると、図５に示すように、バンド駒７の断面形状と一体的になる。また、これら複数の弾性連結部１７は、図４および図５に示すように、これら全体が緩やかに湾曲する曲線を描くように構成されている。
【００２７】
これにより、弾性支持部１５は、図１および図２に示すように、連結ピン８によって順次連結されたバンド駒７のうち、腕時計ケース３のバンド取付部６に取り付けられたバンド駒７から３個程度のバンド駒７を湾曲状に弾力的に起立させて支持するように構成されている。また、この弾性支持部１５は、図４および図５に示すように、腕時計ケース３の両側部に設けられた一対のバンド取付部６にそれぞれ取り付けられる緩衝部１８を有し、この緩衝部１８に一体的に設けられている。
【００２８】
この緩衝部１８は、弾性支持部１５と同様、シリコーンゴムやウレタンゴムなどの弾性材料からなり、図４および図５に示すように、腕時計ケース３のバンド取付部６に取り付けられるバンド駒７の裏面に配置される緩衝本体１９と、この緩衝本体１９上に一体に形成されて腕時計ケース３のバンド取付部６に取り付けられる一対の緩衝取付部２０とを備えている。
【００２９】
緩衝本体１９は、図４および図５に示すように、バンド駒７の裏面に沿って少し湾曲した湾曲板状に形成されている。この緩衝本体１９の上面には、一対の弾性支持部１５が一体的に形成されている。すなわち、一対の弾性支持部１５は、腕時計ケース３のバンド取付部６に取り付けられるバンド駒７の裏面に配置された各弾性連結部１７が、バンド取付部６と反対側に位置する緩衝本体１９の側部に、その側方に向けて突出するように形成されている。
【００３０】
また、一対の緩衝取付部２０は、図４および図５に示すように、腕時計ケース３のバンド取付部６とこれに取り付けられるバンド駒７の突起部１１との間に配置される突起部である。この一対の緩衝取付部２０には、連結ピン８が挿入する取付孔２０ａが、バンド駒７の突起部１１のピン挿入孔１３とバンド取付部６の取付孔（図示せず）とにそれぞれ対応して設けられている。
【００３１】
これにより、緩衝部１８は、図１および図５に示すように、緩衝本体１９を腕時計ケース３のバンド取付部６に取り付けられるバンド駒７の裏面に配置して、一対の緩衝取付部２０を腕時計ケース３のバンド取付部６とこれに取り付けられるバンド駒７の突起部１１との間に配置し、この状態で一対の緩衝取付部２０の各取付孔２０ａをバンド駒７の突起部１１のピン挿入孔１３とバンド取付部６の取付孔（図示せず）とに対応させて、連結ピン８の先端ピン８ｂを挿入することにより、腕時計ケース３のバンド取付部６にバンド駒７と共に取り付けられるように構成されている。
【００３２】
次に、この腕時計２のバンド１の作用について説明する。
バンド駒７を順次連結してバンド１を形成する場合には、まず、図３（ａ）〜図３（ｃ）に示すように、バンド駒７の突起部１１に設けられたピン挿入孔１３に、連結ピン８のピン本体８ａを挿入する。このときには、連結ピン８の両側に位置する先端ピン８ｂがピン本体８ａ内のばね部材（図示せず）のばね力によってピン本体８ａ内から押し出されて突起部１１の両側に突出する。
【００３３】
そして、連結ピン８が取り付けられたバンド駒７の突起部１１をこれに隣接する他のバンド駒７の凹部１２内に配置してバンド駒７同士を連結する際には、連結ピン８の各先端ピン８ｂをばね部材（図示せず）のばね力に抗してピン本体８ａ内に押し込み、この状態でバンド駒７の突起部１１をこれに隣接する他のバンド駒７の凹部１２内に配置する。
【００３４】
この状態で、突起部１１に取り付けられた連結ピン８の各先端ピン８ｂを、凹部１２の内壁面１２ａに設けられた各ピン取付孔１４に対応させる。すると、連結ピン８の各先端ピン８ｂがばね部材のばね力によってピン本体８ａ内から押し出され、この押し出された各先端ピン８ｂが凹部１２の内壁面１２ａに設けられた各ピン取付孔１４に挿入する。これにより、互いに隣接するバンド駒７同士が連結ピン８によって連結される。
【００３５】
このように、複数のバンド駒７を連結ピン８によって順次連結する際には、一対の弾性支持部１５も同時にバンド駒７に取り付ける。このときには、まず、一対の弾性支持部１５が一体的に形成された緩衝部１８を、腕時計ケース３のバンド取付部６に取り付けられるバンド駒７の裏面に配置すると共に、このバンド駒７に順次連続する他のバンド駒７の裏面側に一対の弾性支持部１５を配置して、一対の弾性支持部１５の各弾性取付部１６を順次連結されるバンド駒７の各突起部１１の両端面に対応させる。
【００３６】
このときには、バンド駒７の突起部１１のピン挿入孔１３に挿入されて突起部１１の両端面から突出した連結ピン８の各先端ピン８ｂを、弾性取付部１６の挿入孔１６ａに挿入させる。そして、バンド駒７の凹部１２内にこれに隣接する他のバンド駒７の突起部１１を配置する際には、連結ピン８の各先端ピン８ｂをピン本体８ａ内に向けて押し込み、この状態でバンド駒７の凹部１２内にこれに隣接する他のバンド駒７の突起部１１を配置する。すると、突起部１１の両端面とこれが対向する凹部１２の内壁面１２ａとの間に形成された隙間Ｓに弾性支持部１５の弾性取付部１６が配置される。
【００３７】
そして、この弾性取付部１６の挿入孔１６ａを凹部１２の内壁面１２ａに設けられたピン取付孔１４に対応させると、連結ピン８の各先端ピン８ｂがばね部材（じせず）のばね力で押し出されて内壁面１２ａのピン取付孔１４に挿入する。これにより、弾性支持部１５の弾性取付部１６が互いに隣接するバンド駒７同士の間に取り付けられると共に、各弾性取付部１６を連結する各弾性連結部１７が各バンド駒７の裏面に配置された状態（バンド駒７の裏面の溝に嵌合した状態）で取り付けられる。
【００３８】
このようにして、一対の弾性支持部１５が取り付けられたバンド１を腕時計ケース３のバンド取付部６に取り付ける際には、まず、緩衝部１８の緩衝本体１９を、腕時計ケース３のバンド取付部６に取り付けられるバンド駒７の裏面に配置する。このときには、一対の緩衝取付部２０を腕時計ケース３のバンド取付部６とこれに取り付けられるバンド駒７の突起部１１との間に配置する。
【００３９】
この状態で、一対の緩衝取付部２０の各取付孔２１をバンド駒７の突起部１１のピン挿入孔１３とバンド取付部６の取付孔（図示せず）とに対応させ、この状態で連結ピン８の先端ピン８ｂをバンド駒７の突起部１１のピン挿入孔１３とバンド取付部６の取付孔（図示せず）とに挿入する。これにより、緩衝部１８が腕時計ケース３のバンド取付部６に連結ピン８によってバンド駒７と共に取り付けられる。
【００４０】
このように腕時計ケース３に取り付けられたバンド１は、図５に示すように、腕時計２を腕から取り外して卓上などの平面Ｐ上に配置する際に、一対の弾性支持部１５によって互いに隣接するバンド駒７が連結ピン８を中心に勝手に回転することがなく、弾性支持部１５の各弾性連結部１７によって各バンド駒７が弾力的に起立した状態で支持される。これにより、弾力的に起立したバンド駒７によって腕時計ケース３の両側が平面Ｐの上方に支持される。
【００４１】
この場合には、一対の弾性支持部１５が緩衝部１８の緩衝本体１９に一体に設けられ、この緩衝本体１９が腕時計ケース３のバンド取付部６に取り付けられるバンド駒７の裏面に配置され、この状態で一対の緩衝取付部２０が腕時計ケース３のバンド取付部６に連結ピン８によってバンド駒７の突起部１１と共に取り付けられているので、一対の弾性支持部１５がバンド取付部６に対して回転することがなく、腕時計ケース３の両側を弾力的に支持する。
【００４２】
また、一対の弾性支持部１５によって弾力的に起立したバンド駒７が腕時計ケース３の両側を平面Ｐの上方に支持した状態で、腕時計２に上方から負荷が加わった際には、弾性支持部１５の各弾性連結部１７が各弾性取付部１６で弾力的に屈曲するため、互いに隣接するバンド駒７同士が連結ピン８を中心に回転し、起立している箇所のバンド１が潰れるように弾性変形する。このため、腕時計２が上方から押されても、バンド１が破損することがない。
【００４３】
そして、腕時計２に対して上方から押されるような外力がなくなると、一対の弾性支持部１５が弾性復帰し、再び、バンド駒７を弾力的に起立させるので、バンド１が腕時計ケース３の両側を弾力的に支持する。これにより、金属製のバンド駒７が腕時計２の下に重なって接近することがなく、腕時計２の裏面から離れる。このため、金属製のバンド駒７によって腕時計ケース３内のアンテナや方位検出部の磁気センサなどの電子部品が悪影響を受けることがなく、電子部品を正常に動作させて電波や方位などを正確に検出することができる。
【００４４】
また、腕時計２をバンド１によって腕に取り付けて使用する際には、バンド１の裏面に取り付けられた弾性支持部１５が腕の外周に沿って弾力的に湾曲するので、バンド１を腕にフィットさせて取り付けることができる。この場合、弾性支持部１５は、シリコーンゴムやウレタンゴムなどの弾性材料からなっているので、腕に柔らかく接触させることができ、これによっても腕に良好に取り付けることができる。
【００４５】
このように、この腕時計２のバンド１によれば、バンド駒７が連結ピン８によって順次連結されて腕時計ケース３に取り付けられるものであり、バンド駒７の裏面側に設けられてバンド駒７を弾力的に起立させて支持する弾性支持部１５を備えていることにより、バンド駒７を腕時計ケース３の裏面から確実にかつ良好に離すことができ、これによりバンド駒７を金属で形成しても、このバンド駒７が腕時計ケース３内のアンテナや方位検出部の磁気センサなどの電子部品に悪影響を及ぼさないようにすることができる。
【００４６】
すなわち、このバンド１では、腕時計ケース３を腕から取り外して平面Ｐ上に配置した際に、弾性支持部１５がバンド駒７を平面Ｐ上に弾力的に起立させて支持することができるので、バンド駒７が腕時計２の下に重なって接近することがなく、バンド駒７を腕時計ケース３の裏面から確実にかつ良好に離すことができる。このため、バンド駒７が金属製であっても、このバンド駒７によって腕時計ケース３内のアンテナや方位検出部の磁気センサなどの電子部品が悪影響を受けることがなく、電子部品を正常に動作させて電波や方位などを正確に検出することができる。
【００４７】
また、このバンド１では、弾性支持部１５によって弾力的に起立したバンド駒７が腕時計ケース３を平面Ｐ上に支持した状態で、腕時計２に上方から負荷が加わった際に、弾性支持部１５が弾力的に屈曲するため、腕時計ケース３が上方から押されても、バンド１が破損するのを防ぐことができる。さらに、腕時計２をバンド１によって腕に取り付けて使用する際には、バンド駒７の裏面に取り付けられた弾性支持部１５が腕の外周に沿って弾力的に湾曲するので、バンド１を腕にフィットさせて取り付けることができる。
【００４８】
この場合、弾性支持部１５は、連結ピン８によって順次連結されたバンド駒７の裏面に、その連結方向に沿って２列に設けられていることにより、連結ピン８によって順次連結されたバンド駒７を２列の弾性支持部１５によって安定した状態で確実にかつ良好に起立させることができ、これにより腕時計ケース３を平面Ｐ上に弾力的に安定させて支持することができる。
【００４９】
また、弾性支持部１５は、連結ピン８によって順次連結されるバンド駒７間にそれぞれ配置されて連結ピン８に取り付けられる複数の弾性取付部１６と、これら複数の弾性取付部１６を順次連結する複数の弾性連結部１７とを有しているので、複数の弾性取付部１６によって複数の弾性連結部１７を順次連結されたバンド駒７の裏面に確実にかつ良好に取り付けることができる。
【００５０】
この場合、複数の弾性取付部１６が連結ピン８によって互いに隣接するバンド駒７間にそれぞれ取り付けられ、複数の弾性連結部１７が各バンド駒７の裏面に配置されていることにより、互いに隣接するバンド駒７同士が連結ピン８を中心に回転する構成であっても、連結ピン８によって順次連結されたバンド駒７を弾性取付部１６と弾性連結部１７とによって安定した状態で確実にかつ良好に起立させることができる。また、腕時計２に上方から負荷が加わった際には、弾性支持部１５の弾性取付部１６と弾性連結部１７とが弾力的に屈曲するため、腕時計ケース３が上方から押されても、バンド１が破損するのを防ぐことができる。
【００５１】
また、この弾性支持部１５は、複数の弾性取付部１６が互いに隣接するバンド駒７間に配置されて、複数の弾性連結部１７が各バンド駒７の裏面に配置されているので、バンド１の表面に複数の弾性取付部１６の一部が露呈するだけで、弾性支持部１５のほとんどをバンド１の裏面側に隠すことができ、これにより外観的にもデザイン的にも好ましいものを提供することができると共に、バンド１の表面に露呈した複数の弾性取付部１６の一部をバンド１の装飾用のアクセントとして表現することができるので、より一層、デザイン性の高いものを提供することができる。
【００５２】
また、この弾性支持部１５は、複数の弾性連結部１７が各バンド駒７の裏面の溝に嵌合するので、バンド駒７の断面形状と一体的になるため、弾性支持部１５のほとんどをバンド１と一体化することができ、これにより外観的にもデザイン的に好ましいものを提供することができる。
【００５３】
さらに、このバンド１では、弾性支持部１５が腕時計ケース３の両側部に設けられた一対のバンド取付部６にそれぞれ取り付けられる緩衝部１８を有し、この緩衝部１８に一体的に設けられていることにより、緩衝部１８を腕時計ケース３のバンド取付部６に取り付けられるバンド駒７の裏面に配置してバンド取付部６にバンド駒７と共に取り付けることができ、これにより弾性支持部１５を腕時計ケース３のバンド取付部６の下側に良好に起立させることができる。
【００５４】
この場合、緩衝部１８は、弾性支持部１５と同様、シリコーンゴムやウレタンゴムなどの弾性材料からなり、腕時計ケース３のバンド取付部６に取り付けられるバンド駒７の裏面に配置される緩衝本体１９と、この緩衝本体１９上に一体に形成されて腕時計ケース３のバンド取付部６に取り付けられる一対の緩衝取付部２０とを備えているので、連結ピン８によってバンド駒７と共に腕時計ケース３のバンド取付部６に簡単に取り付けることができる。
【００５５】
すなわち、この緩衝部１８は、緩衝本体１９を腕時計ケース３のバンド取付部６に取り付けられるバンド駒７の裏面に配置して、一対の緩衝取付部２０を腕時計ケース３のバンド取付部６とこれに取り付けられるバンド駒７の突起部１１との間に配置し、この状態で一対の緩衝取付部２０の各取付孔２１をバンド駒７の突起部１１のピン挿入孔１３とバンド取付部６の取付孔（図示せず）とに対応させて、連結ピン８の先端ピン８ｂを挿入させることにより、腕時計ケース３のバンド取付部６にバンド駒７と共に簡単に取り付けることができる。
【００５６】
さらに、このバンド１では、弾性支持部１５が腕時計ケース３の両側にそれぞれ配置されていることにより、腕時計ケース３の両側に設けられた各バンド取付部６にバンド駒７を取り付ける際に、腕時計ケース３の両側に位置するバンド駒７を弾性支持部１５によってそれぞれ弾力的に起立させることができ、これにより卓上などの平面Ｐ上に腕時計ケース３を配置する際に、腕時計ケース３の両側を弾力的に支持することができるので、腕時計ケース３を平面Ｐの上方に良好に支持することができる。
【００５７】
なお、上述した実施形態では、バンド駒７を連結ピン８で順次連結したバンド１について述べたが、これに限らず、バンド駒に連結駒を連結ピンで連結し、この連結駒に他のバンド駒を連結ピンで連結することにより、連結駒を介してバンド駒を順次連結するように構成されたバンドにも適用することができる。
【００５８】
また、上述した実施形態では、連結ピン８がパイプ状のピン本体８ａとこのピン本体８ａの両側にばね部材のばね力によって出没する先端ピン８ｂとを有するばね棒である場合について述べたが、必ずしも連結ピンはばね棒である必要はなく、例えば単純な丸棒であっても良い。
【００５９】
さらに、上述した実施形態では、弾性支持部１５が複数のバンド駒７の連結方向に沿って２列に設けられている場合について述べたが、複数のバンド駒７を起立させて支持できればよいので、１列でも２列以上の複数列であっても良い。
【００６０】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６１】
（付記）
請求項１に記載の発明は、複数のバンド駒が順次連結されて腕時計ケースに取り付けられるバンドにおいて、前記複数のバンド駒に対して設けられ、前記複数のバンド駒を起立させて支持する弾性支持部を備えていることを特徴とするバンドである。
【００６２】
請求項２に記載の発明は、請求項１に記載のバンドにおいて、前記弾性支持部は、順次連結された前記複数のバンド駒の裏面に、その連結方向に沿って設けられていることを特徴とするバンドである。
【００６３】
請求項３に記載の発明は、請求項１または請求項２に記載のバンドにおいて、前記弾性支持部は、連結ピンによって順次連結される前記複数のバンド駒の間にそれぞれ配置されて前記連結ピンに取り付けられる複数の弾性取付部と、前記複数の弾性取付部を順次連結する複数の弾性連結部とを有していることを特徴とするバンドである。
【００６４】
請求項４に記載の発明は、請求項１〜請求項３のいずれかに記載のバンドにおいて、前記弾性支持部は、順次連結された前記複数のバンド駒の凹部と突起部との間に形成された隙間に配置される複数の弾性取付部と、前記複数のバンド駒の裏面の溝に嵌合する複数の弾性連結部とを有していることを特徴とするバンドである。
【００６５】
請求項５に記載の発明は、請求項１〜請求項４のいずれかに記載のバンドにおいて、前記弾性支持部は、前記腕時計ケースに設けられたバンド取付部に取り付けられる緩衝部を有し、この緩衝部に設けられていることを特徴とするバンドである。
【００６６】
請求項６に記載の発明は、請求項１〜請求項５のいずれかに記載のバンドにおいて、前記弾性支持部は、前記腕時計ケースの両側にそれぞれ配置されていることを特徴とするバンドである。
【符号の説明】
【００６７】
１  バンド
２  腕時計
３  腕時計ケース
６  バンド取付部
７  バンド駒
８  連結ピン
１０  駒本体
１１  突起部
１２  凹部
１３  ピン挿入孔
１４  ピン取付孔
１５  弾性支持部
１６  弾性取付部
１７  弾性連結部
１８  緩衝部
１９  緩衝本体
２０  緩衝取付部
【図１】
2014054305.tif 000003
【図２】
2014054305.tif 000004
【図３】
2014054305.tif 000005
【図４】
2014054305.tif 000006
【図５】
2014054305.tif 000007